(57)【要約】【課題】設置する際の作業性を向上できる開口部の防水装置を提供する。【解決手段】構造物１の開口部６を開閉する開閉体４に対して屋外側に設置されて開口部を閉塞するシート１０と、シートに対して着脱可能であり、シートの一辺に取り付けられて一辺を保持する保持部材５と、開口部の幅方向の端部に位置する柱状の支持部材２に対して、支持部材の長手方向に延在する状態で保持部材を固定する固定手段２０と、を備え、保持部材は、固定手段によって、支持部材における開口部側と反対側の面２１に対して固定される。【選択図】図２
2014227808.tif 000002
【特許請求の範囲】
【請求項１】
構造物の開口部を開閉する開閉体に対して屋外側に設置されて前記開口部を閉塞するシートと、
前記シートに対して着脱可能であり、前記シートの一辺に取り付けられて前記一辺を保持する保持部材と、
前記開口部の幅方向の端部に位置する柱状の支持部材に対して、前記支持部材の長手方向に延在する状態で前記保持部材を固定する固定手段と、
を備え、前記保持部材は、前記固定手段によって、前記支持部材における前記開口部側と反対側の面に対して固定される
ことを特徴とする開口部の防水装置。
【請求項２】
前記固定手段は、前記反対側の面に前記支持部材の長手方向に沿って配置された突起部と、前記保持部材に設けられ、前記突起部と係合する係合部とを有し、
前記係合部が前記突起部と係合することにより、前記保持部材が前記支持部材に対して固定される
請求項１に記載の開口部の防水装置。
【請求項３】
前記シートは、前記保持部材を介して前記支持部材に対して固定された状態で、前記開閉体と、前記支持部材と、床面とを一体に覆う
請求項１または２に記載の開口部の防水装置。
【発明の詳細な説明】
【技術分野】
【０００１】
本発明は、開口部の防水装置に関する。
【背景技術】
【０００２】
従来、開閉体によって開閉される開口部からの浸水を抑制する技術が提案されている。例えば、特許文献１には、シャッタの裏面には屈曲自在な防水シートが設けられていると共に、防水シートと対向するようにしてガイド部材にはシール部材が設けられ、シャッタに浸水しようとする氾濫水等の水圧がシャッタの表面に作用すると、防水シートがシール材に圧接されるようになっている、浸水防止機能を備えたシャッタ装置の技術が開示されている。
【先行技術文献】
【特許文献】
【０００３】
【特許文献１】特許第４４５９７４０号公報
【発明の概要】
【発明が解決しようとする課題】
【０００４】
防水装置を設置する際の作業性を向上できることが望まれている。例えば、構造物に対してシートを容易に固定できることが好ましい。また、例えば、シートを設置するときのシワやたるみの発生を抑制できることが好ましい。
【０００５】
本発明の目的は、設置する際の作業性を向上できる開口部の防水装置を提供することである。
【課題を解決するための手段】
【０００６】
本発明の開口部の防水装置は、構造物の開口部を開閉する開閉体に対して屋外側に設置されて前記開口部を閉塞するシートと、前記シートに対して着脱可能であり、前記シートの一辺に取り付けられて前記一辺を保持する保持部材と、前記開口部の幅方向の端部に位置する柱状の支持部材に対して、前記支持部材の長手方向に延在する状態で前記保持部材を固定する固定手段と、を備え、前記保持部材は、前記固定手段によって、前記支持部材における前記開口部側と反対側の面に対して固定されることを特徴とする。
【０００７】
上記開口部の防水装置では、シートの一辺を保持する保持部材と、柱状の支持部材に対して保持部材を固定する固定手段とを備えるため、設置する際の作業性を向上できる。
【０００８】
上記開口部の防水装置において、前記固定手段は、前記反対側の面に前記支持部材の長手方向に沿って配置された突起部と、前記保持部材に設けられ、前記突起部と係合する係合部とを有し、前記係合部が前記突起部と係合することにより、前記保持部材が前記支持部材に対して固定されることが好ましい。
【０００９】
上記開口部の防水装置では、支持部材に対して容易に保持部材を固定することができ、設置する際の作業性を向上できる。
【００１０】
上記開口部の防水装置において、前記シートは、前記保持部材を介して前記支持部材に対して固定された状態で、前記開閉体と、前記支持部材と、床面とを一体に覆うことが好ましい。
【００１１】
上記開口部の防水装置では、開口部を閉塞する閉塞性を高めることができる。
【発明の効果】
【００１２】
本発明に係る開口部の防水装置によれば、設置する際の作業性を向上できるという効果を奏する。
【図面の簡単な説明】
【００１３】
【図１】図１は、実施形態に係る開口部の防水装置の平面図である。
【図２】図２は、実施形態に係る開口部の防水装置の要部を示す拡大図である。
【図３】図３は、シートガイドの取り付け方法を示す斜視図である。
【図４】図４は、方立に取り付けられたシートガイドを示す斜視図である。
【図５】図５は、シートガイドに対するシートの取り付けを示す斜視図である。
【図６】図６は、実施形態の第１変形例に係るシートガイドの説明図である。
【図７】図７は、実施形態の第１変形例に係るシートガイドによるシートの保持状態を示す図である。
【図８】図８は、実施形態の第２変形例に係る固定手段の説明図である。
【図９】図９は、実施形態の第３変形例に係るシートガイドを示す斜視図である。
【発明を実施するための形態】
【００１４】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１５】
［実施形態］
図１から図５を参照して、実施形態について説明する。本実施形態は、開口部の防水装置に関する。図１は、本発明の実施形態に係る開口部の防水装置の平面図、図２は、実施形態に係る開口部の防水装置の要部を示す拡大図、図３は、シートガイドの取り付け方法を示す斜視図、図４は、方立に取り付けられたシートガイドを示す斜視図、図５は、シートガイドに対するシートの取り付けを示す斜視図である。
【００１６】
図１には、実施形態に係る開口部の防水装置を鉛直方向の上方から見た図が示されている。本実施形態に係る開口部の防水装置１−１は、シート１０と、シートガイド５とを含んで構成されている。また、開口部の防水装置１−１は、図３に示す固定手段２０を含んで構成されている。開口部の防水装置１−１は、更に方立２を含んで構成されてもよい。
【００１７】
図１に戻り、本実施形態の構造物１は、店舗であり、開口部６は店舗の出入口である。店舗のフロント部分は板状のガラス３によって屋内と屋外とが仕切られている。方立２は、ガラス３を支持する枠部としての機能を有しており、ガラス３の縁部が方立２に嵌め込まれている。ガラス３の下部の縁部は、図３に示す下部支持部材８に嵌め込まれている。下部支持部材８は、開口部６の幅方向に延在する断面矩形の部材である。方立２は、開口部６の幅方向の両端部にそれぞれ設けられた柱状の支持部材であり、鉛直方向に延在している。方立２は、床面７から、少なくとも開閉体４におけるシート１０によって覆われる領域の上端位置まで設けられている。
【００１８】
本実施形態に係る構造物１では、一対の方立２によって開口部６の幅方向の端部が形成されている。方立２は、断面矩形の部材であり、開口部６の幅方向と平行な２つの平面と、幅方向と直交する２つの平面とを有する。方立２は、例えば、アルミ等の金属材料で構成されている。
【００１９】
図１に示す本実施形態の開閉体４は、両開きのスライド式の自動ドアである。開閉体４は、２枚のドア４１，４２を有する。ドア４１，４２は、それぞれドア枠４１ａ，４２ａと、ガラス４１ｂ，４２ｂとを有する。ガラス４１ｂ，４２ｂは、ドア枠４１ａ，４２ａによって支持されている。ドア４１，４２は、方立２に対して屋内側に配置されている。開閉体４は、図示しないモータ等の動力によってドア４１，４２を幅方向に移動させることで開口部６を開放あるいは閉塞する。
【００２０】
シート１０は、構造物１の開口部６を開閉する開閉体４に対して屋外側に設置されて開口部６の下端側の領域を閉塞する。本実施形態に係るシート１０の形状は、矩形である。シート１０は、遮水性を有しており、開口部の防水シートとして機能する。また、シート１０は、可撓性を有しており、伸縮可能であってもよい。シート１０の素材は、例えば、樹脂、ゴム、表面を樹脂などでコーティングした布等である。シート１０は、水圧による開閉体４の変形に追従できる素材で構成されることが好ましい。
【００２１】
シート１０の幅は、開口部６の幅よりも大きい。シート１０は、開閉体４の鉛直方向下端側の部分と、構造物１における開閉体４に隣接する部分とを一体に覆う。本実施形態に係るシート１０は、図１および図５に示すように、シートガイド５を介して方立２に対して固定された状態で、開閉体４と、方立２と、床面７とを一体に覆う。これにより、シート１０は、開閉体４と方立２との隙間や開閉体４と床面７との隙間、ドア４１とドア４２との隙間を介して屋内に水が浸入することを抑制する。
【００２２】
シートガイド５は、シート１０に対して着脱可能であり、シート１０の一辺に取り付けられて当該一辺を保持する保持部材である。シートガイド５は、例えばアルミ等の金属材料で構成されている。図３に示すように、シートガイド５は、板状の本体５１と、レール部５２とを有する。レール部５２は、本体５１の短手方向の一端に設けられている。レール部５２は、断面Ｃ字形状であり、本体５１の長手方向に延在している。
【００２３】
固定手段２０は、開口部６の幅方向の端部に位置する柱状の支持部材に対して、支持部材の長手方向に延在する状態で保持部材を固定する。本実施形態では、方立２が支持部材、シートガイド５が保持部材である。固定手段２０は、図４に示すように、方立２の長手方向に延在する状態でシートガイド５を固定する。
【００２４】
本実施形態に係る固定手段２０は、図３に示すように、方立２における開口部６側と反対側の面２１に方立２の長手方向に沿って配置された複数の突起部２２と、シートガイド５に設けられ、突起部２２と係合する複数の係合部５３とを有する。係合部５３が突起部２２と係合することにより、シートガイド５が方立２に対して固定される。よって、シートガイド５を方立２に対して容易に固定することができるという利点がある。
【００２５】
シートガイド５の本体５１には、複数の係合部５３が形成されている。係合部５３は、本体５１を貫通する貫通孔である。係合部５３は、方立２に設けられた突起部２２と係合するものである。突起部２２は、方立２における開口部６側と反対側の面２１に方立２の長手方向に沿って複数配置されている。突起部２２は、フックとして機能するものであり、方立２から開口部６側と反対側に突出している。突起部２２は、軸部２２ａと、円盤状の頭部２２ｂを有する。軸部２２ａの一端は方立２に対して固定されており、他端は頭部２２ｂに接続されている。頭部２２ｂの外径は、軸部２２ａの外径よりも大きい。突起部２２は、方立２の長手方向に等間隔で配置されている。
【００２６】
係合部５３は、突起部２２に対応して設けられており、本体５１の長手方向に等間隔で配置されている。係合部５３は、大径部５３ａと小径部５３ｂとを有する。大径部５３ａは、突起部２２の頭部２２ｂを挿入可能な内径を有する円形の孔部である。小径部５３ｂは、大径部５３ａに対してシートガイド５の長手方向の一方側に形成されたスリット状のものであり、大径部５３ａと連通している。小径部５３ｂの幅は、軸部２２ａの外径よりも大きく、かつ頭部２２ｂの外径よりも小さい。つまり、頭部２２ｂは、小径部５３ｂを通過することができない。
【００２７】
図３に示すように、シートガイド５は、大径部５３ａに対して小径部５３ｂが上側に位置するようにして方立２に取り付けられる。各突起部２２の頭部２２ｂを各係合部５３の大径部５３ａに挿入させ、シートガイド５を下方にスライドさせることにより、軸部２２ａが小径部５３ｂに挿入された状態となる。これにより、シートガイド５が方立２の開口部６側と反対側の面２１に対して固定される。重力により、軸部２２ａが小径部５３ｂと係合した状態が維持され、突起部２２が係合部５３から抜けることが抑制される。このように、本実施形態に係る固定手段２０は、突起部２２が係合部５３から抜けることを規制する規制機構を有している。
【００２８】
図４に示すようにシートガイド５が方立２に固定された状態で、レール部５２のスリット５２ａは、開口部６側を向いている。図５に示すように、シートガイド５は、シート１０の一辺に取り付けられる。シート１０の幅方向の両端の辺には、それぞれジッパー１１が配置されている。ジッパー１１は、シート１０の縁部に配置されており、シート１０の長さ方向に延在している。ジッパー１１は、シート１０に対して接着や溶着等により固定されている。ジッパー１１は、シート１０の端部に設けられた折り返し部に包まれていてもよい。ジッパー１１は、剛性を有し、シート１０におけるジッパー１１が配置された辺を直線状に保持できることが好ましい。
【００２９】
ジッパー１１は、円柱形状であり、レール部５２の中空部に挿入可能である。シートガイド５をシート１０に取り付ける場合、図５に矢印Ｙ１で示すように、シートガイド５に対してシート１０を長手方向にスライドさせるようにして、ジッパー１１がレール部５２に挿入される。レール部５２のスリット５２ａの隙間の幅は、ジッパー１１の外径よりも小さいため、ジッパー１１がスリット５２ａを介してレール部５２から抜け出ることが抑制される。
【００３０】
図２に示すように、方立２に対して固定されたシートガイド５にシート１０が取り付けられた状態で、屋外側から水が寄せてくると、水圧によってシート１０が方立２や開閉体４に向けて押し付けられる。その際、シート１０が方立２のコーナー部２４に当接する。これにより、シート１０は、方立２や開閉体４に密着し、隙間を塞いで屋内側への水の浸入を抑制する。シート１０は、方立２と開閉体４とを一体に覆い、開閉体４と方立２との隙間を閉塞する。また、シート１０は、その他の隙間、例えばドア４１とドア４２との隙間を閉塞して屋内への水の浸入を抑制する。
【００３１】
また、シート１０は、図５に示すように、下端部１０ａが床面７を覆う状態に設置される。ジッパー１１は、シート１０の下端部１０ａには設けられていない。従って、シート１０の下端部１０ａは、床面７に沿うように屈曲し、床面７を覆うことができる。これにより、シート１０は、シートガイド５を介して方立２に対して固定された状態で、床面７と開閉体４とを一体に覆うことができる。屋外側から水が寄せてくると、シート１０に対して屋内側へ向かう水圧が掛かる。これにより、シート１０は、床面７および開閉体４に密着し、隙間を塞いで屋内側への水の浸入を抑制する。なお、シート１０の下端部１０ａ上に押圧部材を設置するようにしてもよい。押圧部材は、自重により下端部１０ａを床面７に向けて押圧する部材である。押圧部材がシート１０の下端部１０ａを床面７に向けて押圧することで、シート１０と床面７との間からの浸水をより確実に抑制することができる。押圧部材の形状は、例えば、平板形状とすることができる。
【００３２】
水圧により、シートガイド５には、図５に矢印Ｙ２で示す屋外側へ向けて引っ張る力が作用する。これに対して、シートガイド５は、突起部２２と係合して方立２に固定されていることから、シートガイド５の抜けが抑制されている。よって、シートガイド５は、水圧に抗してシート１０を保持しておくことができる。
【００３３】
以上説明したように、本実施形態に係る開口部の防水装置１−１は、シートガイド５がシート１０に対して着脱可能であり、かつ固定手段２０によって方立２に対して固定可能であることから、シート１０を開口部６および開閉体４に対して容易に設置可能である。また、本実施形態では、方立２に設けられた突起部２２に対してシートガイド５の係合部５３を係合させて引っかけることによりシートガイド５を方立２に固定することができる。よって、設置作業が容易であるという利点を有する。
【００３４】
また、本実施形態に係る開口部の防水装置１−１は、設置時にシートガイド５を方立２に固定するものであるため、意匠性の低下を抑制できるという利点がある。例えば、シートガイド５を常時方立２に対して固定しておく場合、構造物１のフロント部分の意匠性の低下を招く可能性がある。一例として、方立２における屋外側を向いた面、すなわち正面にシートガイド５を常に固定しておくことは、意匠性の観点からユーザーに受け入れられないことがある。
【００３５】
これに対して、本実施形態に係る開口部の防水装置１−１では、シートガイド５が方立２に対して着脱可能であり、平常時はシートガイド５を方立２に取り付けておく必要がない。よって、フロント部分の意匠性の低下を抑制することができる。また、突起部２２は、方立２における開口部６側と反対側の面２１に配置されており、シートガイド５は、開口部６側と反対側の面２１に対して固定される。突起部２２が上記反対側の面２１に配置されていることにより、通行者が開口部６を出入りする際に突起部２２が目立たないため、フロント部分の意匠性の低下を招きにくいという利点がある。また、通行者が開口部６を出入りする際に突起部２２が邪魔になりにくいという利点がある。
【００３６】
また、本実施形態に係る開口部の防水装置１−１では、シートガイド５によってシート１０の一辺が保持されているため、シート１０にシワやたるみが生じにくいという利点がある。よって、シート１０と方立２との密着性やシート１０と開閉体４との密着性を高め、防水性能を向上させることができる。また、シート１０がシートガイド５を介して方立２に固定されることで、シート１０の一部に力が集中することが抑制される。例えば、シート１０に形成した孔にハトメ等を付けて直接突起部２２に引っかけるようにして固定する場合、水圧が掛かるときにシート１０の一部に応力集中が生じる可能性がある。これに対して、本実施形態では、シートガイド５がシート１０の一辺を保持していることにより、応力集中が抑制される。
【００３７】
なお、本実施形態では、シートガイド５が方立２に対して固定された後でシート１０がシートガイド５に取り付けられたが、取り付け順序はこれには限定されない。例えば、シートガイド５がシート１０に取り付けられた後で、シートガイド５が方立２に対して固定されてもよい。
【００３８】
開閉体４は、本実施形態で例示された自動ドアには限定されない。開閉体４は、例えば、開き戸や折れ戸、シャッターカーテン等であってもよい。また、自動で開閉されるものだけでなく、手動で開閉されるものであってもよい。また、開閉体４は、両開きに限らず、片開きのものであってもよい。
【００３９】
本実施形態の構造物１では、開口部６の幅方向の両端に支持部材としての方立２が配置されているが、これに限らず、開口部６の幅方向の一端にのみ方立２が配置されていてもよい。この場合、方立２が配置されている方の端部では、方立２における開口部６側と反対側の面２１にシートガイド５を固定するようにすればよい。方立２のような柱状の支持部材が設けられていない方の端部では、例えば、壁面等にシートガイド５を固定するようにしてもよい。
【００４０】
本実施形態では、構造物１が店舗であったが、これに限定されるものではなく、ギャラリー、展示室、美術館、事務所等の来客や観客が出入りするものであってもよいし、その他の構造物であってもよい。また、本実施形態では、開閉体４が屋内と屋外とを仕切るものであったが、これには限定されず、開閉体４は屋内側と屋外側とを仕切るものであってもよい。例えば、開閉体４は、建屋内における屋外側の通路と屋内側の室内とを仕切るものであってもよい。
【００４１】
本実施形態では、柱状の支持部材が断面矩形の方立２であったが、支持部材の形状はこれには限定されない。支持部材は、開口部６側と反対側の面２１を有するものであればよい。上記反対側の面２１は平面であることが好ましいが、凹凸を有していたり、湾曲していたりしてもよい。この場合、シートガイド５の形状を上記反対側の面２１の形状に応じた形状とすることが好ましい。
【００４２】
［実施形態の第１変形例］
実施形態の第１変形例について説明する。図６は、実施形態の第１変形例に係るシートガイド５の説明図、図７は、実施形態の第１変形例に係るシートガイド５によるシート１０の保持状態を示す図である。第１変形例に係るシートガイド５では、レール部５２が、本体５１に対して下方に延長した延長部５４を有する。延長部５４の長さＬは、下部支持部材８の高さＨに対応している。例えば、延長部５４の長さＬは、下部支持部材８の高さＨと同一であってもよい。
【００４３】
第１変形例に係るシートガイド５では、方立２の下端部までレール部５２が設けられている。これにより、図７に示すように、シート１０の下端部１０ａが方立２から離間することを抑制し、シート１０の浮き上がりの発生等を抑制することができる。
【００４４】
［実施形態の第２変形例］
実施形態の第２変形例について説明する。図８は、実施形態の第２変形例に係る固定手段３０の説明図である。固定手段３０は、磁力によって、シートガイド５を方立２に対して固定する。第２変形例に係る固定手段３０は、シートガイド５の本体５５と、固定部材９とを含んで構成されている。固定部材９は、方立２の内部に固定されており、磁石によって吸引される磁性体である。方立２は中空であり、固定部材９は、開口部６側と反対側の面２１の内面側に配置されている。シートガイド５の本体５５は、磁石で構成されている。
【００４５】
シートガイド５を方立２に対して固定する場合、本体５５を開口部６側と反対側の面２１に近づけることにより、本体５５と固定部材９との間に磁力による吸引力が作用する。これにより、本体５５が開口部６側と反対側の面２１に固定される。なお、本体５５が磁性体、固定部材９が磁石とされてもよく、本体５５および固定部材９の両方が磁石とされてもよい。
【００４６】
なお、シートガイド５を方立２に対して固定する固定手段は、上記実施形態や本変形例に例示したものには限定されない。例えば、両面テープや面ファスナーを介してシートガイド５が方立２に対して固定されてもよい。
【００４７】
［実施形態の第３変形例］
実施形態の第３変形例について説明する。図９は、実施形態の第３変形例に係るシートガイドを示す斜視図である。図９に示すシートガイド５の係合部５６は、本体５１に形成された切欠部である。第３変形例では、上記実施形態の係合部５３に代えて、係合部５６が固定手段２０の構成要素となっている。係合部５６は、正面視（Ａ方向視）における形状が略逆Ｌ字形状であり、第一スリット部５６ａと第二スリット部５６ｂとを有する。第一スリット部５６ａは、スリット状であり、本体５１における短手方向の端部からレール部５２に向けて短手方向に延在している。第二スリット部５６ｂは、スリット状であり、第一スリット部５６ａのレール部５２側の端部から長手方向の一方に向けて延在している。第一スリット部５６ａの幅および第二スリット部５６ｂの幅は、突起部２２（図３参照）の軸部２２ａの外径よりも大きく、かつ頭部２２ｂの外径より小さい。
【００４８】
シートガイド５は、図９に示すように第二スリット部５６ｂが第一スリット部５６ａに対して上側に位置する状態で方立２に取り付けられる。突起部２２の軸部２２ａを第一スリット部５６ａを通過させて第二スリット部５６ｂと係合させることで、シートガイド５を方立２に対して固定することができる。重力によって、軸部２２ａが第二スリット部５６ｂと係合した状態が維持され、突起部２２が係合部５６から抜けることが規制される。
【００４９】
［実施形態の第４変形例］
実施形態の第４変形例について説明する。上記実施形態では、レール部５２とジッパー１１によってシート１０とシートガイド５とが接続されたが、シート１０とシートガイド５との接続方法はこれには限定されない。他の構成や方法・手順によってシート１０とシートガイド５とが接続されてもよい。
【００５０】
上記の実施形態および変形例に開示された内容は、適宜組み合わせて実行することができる。
【符号の説明】
【００５１】
１−１  開口部の防水装置
１  構造物
２  方立（支持部材）
４  開閉体
５  シートガイド（保持部材）
６  開口部
７  床面
１０  シート
１０ａ  下端部
２０，３０  固定手段
２１  開口部側と反対側の面
【図１】
2014227808.tif 000003
【図２】
2014227808.tif 000004
【図３】
2014227808.tif 000005
【図４】
2014227808.tif 000006
【図５】
2014227808.tif 000007
【図６】
2014227808.tif 000008
【図７】
2014227808.tif 000009
【図８】
2014227808.tif 000010
【図９】
2014227808.tif 000011